(57)【要約】      （修正有）【課題】人々の雨具携帯の負担を減らし、レンタル傘の使用寿命をむだにしないレンタル回収システム及び傘レンタル回収装置を提供する。【解決手段】傘レンタル回収システムは、レンタル傘、複数の傘レンタル回収装置、及びサーバーを含み、レンタル傘には対応識別マークが設置され、傘レンタル回収装置１は、少なくとも一つの本体１０、本体に設置されたレンタル／回収ユニット、対応識別マークを識別するためのレンタル傘識別記録機器、本体に形成され、レンタル傘識別記録機器にレンタル傘を識別させる少なくとも一つの傘出／入傘ポート１２０、本体内部に設置され、回収されたレンタル傘を乾燥する乾燥ユニット１６、及び、通信ユニット、を含み、各傘レンタル回収装置の通信ユニットは、レンタル／回収ユニットにデータリンクし、サーバーは、各傘レンタル回収装置の通信ユニットとデータリンクする。【選択図】図１
0003205247.tif 000002
【実用新案登録請求の範囲】
【請求項１】
傘レンタル回収システムであって、
前記傘レンタル回収システムは、レンタル傘、複数の傘レンタル回収装置、及びサーバーを含み、
前記レンタル傘には対応識別マークが設置されており、
前記傘レンタル回収装置は、
本体、
前記本体に設置されたレンタル／回収ユニット、
前記対応識別マークを識別するためのレンタル傘識別記録機器、
前記本体に形成され、前記レンタル傘識別記録機器に前記レンタル傘を識別させる少なくとも一つの傘出／入傘ポート、
前記本体内部に設置され、回収されたレンタル傘の乾燥をする乾燥ユニット、及び、
通信ユニット、を含み、
各々の各傘レンタル回収装置の前記通信ユニットは、前記レンタル／回収ユニットにデータリンクし、
前記サーバーは、前記各々の傘レンタル回収装置の通信ユニットとデータリンクすることで、
少なくとも一人の利用者に少なくとも１本のレンタル傘をレンタルし、前記レンタル傘を乾燥にかけて再びレンタルに供給できる、
傘レンタル回収システム。
【請求項２】
前記乾燥ユニットに対応して設置された運搬ユニットを前記本体内に含み、
前記運搬ユニットは、前記傘出／入ポートに連結し、回収した前記レンタル傘の受け取り、及び／または前記レンタル傘を提供する、
請求項１に記載の傘レンタル回収システム。
【請求項３】
前記乾燥ユニットは少なくとも一つの燃料電池を含み、
前記燃料電池は電力を前記運搬ユニット、及びレンタル／回収ユニットに供給し、電力消費時の余熱を前記乾燥ユニットに提供する、
請求項２に記載の傘レンタル回収システム。
【請求項４】
前記レンタル／回収ユニットはプロセッサを含み、前記レンタル傘の識別記録機器と接続する、
請求項１〜３の何れか一項に記載の傘レンタル回収システム。
【請求項５】
傘レンタル回収装置であって、
前記傘レンタル回収装置は、対応識別マークが設置されているレンタル傘を回収するために用いられ、
前記傘レンタル回収装置は、
本体、
前記本体に設置されたレンタル／回収ユニット、
前記対応識別マークを識別するためのレンタル傘識別記録機器、
前記本体に形成され、前記レンタル傘識別記録機器に前記レンタル傘を識別させる少なくとも一つの傘出／入傘ポート、及び、
前記本体内部に設置され、回収されたレンタル傘の乾燥をする乾燥ユニットを含み、
少なくとも一人の利用者に少なくとも１本のレンタル傘をレンタルし、前記レンタル傘を乾燥にかけて再びレンタルに供給できる、
傘レンタル回収装置。
【請求項６】
前記乾燥ユニットに対応して設置された運搬ユニットを前記本体内に含み、
前記運搬ユニットは、前記傘出／入ポートに連結し、回収した前記レンタル傘の受け取り及び／または前記レンタル傘を提供する、
請求項５に記載の傘レンタル回収装置。
【請求項７】
前記乾燥ユニットは少なくとも一つの燃料電池を含み、
前記燃料電池は電力を前記運搬ユニット、及び前記レンタル／回収ユニットに供給し、電力消費時の余熱を前記乾燥ユニットに提供する、
請求項６に記載の傘レンタル回収装置。
【請求項８】
前記レンタル／回収ユニットはプロセッサを含み、前記レンタル傘の識別記録機器と接続する、
請求項５〜７の何れか一項に記載の傘レンタル回収装置。
【請求項９】
前記対応識別マークが無線周波数ラベルであり、前記レンタル傘識別記録機器が無線周波数識別記録器である、
請求項８に記載の傘レンタル回収装置。
【請求項１０】
前記運搬ユニットは固定部品を含み、回収された前記レンタル傘を固定し、並びに、前記レンタル傘の固定を解除し貸出をする、
請求項８に記載の傘レンタル回収装置。
【請求項１１】
前記本体が、前記少なくとも一つの傘出／入ポートに対応した回収エリアとレンタルエリア、前記乾燥ユニットに対応した少なくとも一つの乾燥エリア、及び、前記レンタル傘を包装する少なくとも一つの包装エリアを含む、
請求項８に記載の傘レンタル回収装置。
【考案の詳細な説明】
【技術分野】
【０００１】
本考案は、一種の傘レンタル回収装置及び傘レンタル回収システム、に関する。
【背景技術】
【０００２】
古いことわざで「天には不測の風雲がある」と言われるように、万一に備えて雨具の携帯を習慣付けることが好ましい。しかしながら、毎年の降雨日数や時間は不規則である。したがって、使用率が高くない雨具の携帯は、多くの人にとって重量と空間の無駄であるといえる。そのため、人々は通常、気象庁による天気予報や個人的に観察する空の様子に基づいて、雨具の携帯の要否を決める。しかしながら、天気予報が外れたり急に天候が悪化し大雨が降った場合、雨具を携帯していない人は雨が止むのを待つか、新しい雨具を買う選択しかない。実際に雨具を使う時間はそれほど多くなく、特に降雨状況の予測が難しいということを考慮すると、常に雨具を携帯することはあまり効果的ではない。
【０００３】
自分の雨具を携帯しないのであれば、雨が降った時に一時的に雨傘を借りることもあり得る。例えば、一部の公共の場で提供される善意の傘である。しかしこの制度には重大な欠点がある。まず、善意の傘の借出と返却は完全に人々の思いやりや同情心、良識によるもので、営利目的でもなく法的規制もない。そのため、傘を提供する人が現れない可能性があるばかりでなく、使用後に傘を返却せず、私物化される可能性がある。次の欠点として、供給量に柔軟性が無いことが挙げられる。例えば、台湾では夏の午後、特に退勤時間帯にスコールが発生しやすい。この時、ビジネスエリアでは善意の傘の需要量が膨大になり供給不足になる。人々は帰宅後に善意の傘を返却するので住宅エリアで供給過多になり、収納しきれなくなる。しかもほとんどの人は面倒なので、水気をふき取ることなく傘を返却する。善意の傘の傘立てに置かれている傘は濡れた状態のままであることが多いため、カビや錆びが発生し易く、善意の傘の使用寿命を損なってしまう。
【考案の概要】
【考案が解決しようとする課題】
【０００４】
本考案は上述の問題を解決すべく、傘レンタル回収装置及傘レンタル回収システムを提案する。人々の雨具携帯の負担を減らし、傘レンタル回収装置が回収した傘に乾燥作業を施すことにより、レンタル傘の使用寿命をむだにしない。また、広告料やデポジットなどの方法により、業者の十分な供給を確保できるのみならず、利用者が私物化し返却しないという事態を防ぐことができる。更に、レンタル回収システムの統計により、各地の傘レンタル回収裝置の数量変化が把握できることで、業者も各装置のレンタル傘の補充や調整を行える。
【０００５】
本考案の一つの目的は、傘レンタル回収装置を提供し、乾燥ユニットでレンタル傘を乾燥状態に保ち、レンタル傘の使用寿命を延ばすことである。
【０００６】
本考案の二つ目の目的は、傘レンタル回収装置を提供し、利用者のIDナンバーを記録するか、またはデポジットを預かることで利用者の返却の意志を確保し、レンタル傘が私物化されない状態を維持することである。
【０００７】
本考案の三つ目の目的は、傘レンタル回収システムを提供し、少なくとも1つのサーバーによって各地の傘レンタル回収装置に対して統計管理を行い、レンタル傘数量の柔軟性を確保し、一方的な大流量の需要に対して即時に対応できるようにすることである。
【０００８】
本考案の四つ目の目的は、一種の傘レンタル回収システムを提供し、利用者がいつでもどこでもレンタル・返却できるようにし、傘を購入して携帯する煩わしさと放置する無駄を省くことである。
【課題を解決するための手段】
【０００９】
上述の目的を満たす為、本案は傘レンタル回収システムを提供し、少なくとも一人の利用者が少なくとも１本の傘のレンタルと／または前述のレンタル傘を乾燥にかけて再びレンタルに供給する。その内、全ての前述のレンタル傘にはそれぞれ一つの対応識別マークが設置され、当該傘レンタル回収装置は以下の構成を含む。
本体；本体に設置されたレンタル／回収ユニット；上述の対応識別マークを識別するためのレンタル傘識別記録機器；少なくとも１つの当該本体に形成され且つ前述のレンタル傘識別記録機器が上述のレンタル傘を識別するための傘出／入ポート；本体内に設置され、上述の傘出／入ポートに連結し、回収した上述のレンタル傘の受け取りと／または上述のレンタル傘を提供する運搬ユニット；本体内に設置され、上述の運搬ユニットに対応し、上述の回収したレンタル傘を乾燥する乾燥ユニット。
【００１０】
また、１つのサーバーで複数の傘レンタル回収装置を一元管理する傘レンタル回収システムを提供する。すなわち、傘レンタル回収システムは、少なくとも一人の利用者が少なくとも１本の傘のレンタルと／または前述のレンタル傘を乾燥にかけて再びレンタルに供給する。その内全ての前述のレンタル傘にはそれぞれ一つの対応識別マークが設置されている。また、傘レンタル回収システムは、複数の傘レンタル回収装置を少なくとも一つのサーバーで接続している。各々の傘レンタル回収装置には、以下の構成が含まれる。
本体；本体に設置されたレンタル／回収ユニット；上述の対応識別マークを識別するためのレンタル傘識別記録機器；少なくとも１つの当該本体に形成され且つ前述のレンタル傘識別記録機器が上述のレンタル傘を識別するための傘出／入ポート；本体内に設置され、上述の傘出／入ポートに連結し、回収した上述のレンタル傘の受け取りと／または上述のレンタル傘を提供する運搬ユニット；本体内に設置され、上述の運搬ユニットに対応し、上述の回収したレンタル傘を乾燥する乾燥ユニット；レンタル／回収ユニットに配置した通信ユニット。
そして、少なくとも一つのサーバーは、傘レンタル回収装置の各通信ユニットと接続している。
【００１１】
本考案で開示する傘レンタル回収装置及び傘レンタル回収システムは、各々のレンタル傘に識別記録機器を経由して状態を記録し、各台の傘レンタル回収装置が充分に供給可能なレンタル傘の数量を確保できるようにする。同時に業者の便宜を図るため、レンタル中のレンタル傘の統計を行い、必要な場合には未回収レンタル傘の追跡を行い、未返却利用者に罰金等の措置を採ることが可能である。乾燥ユニットで回収済のレンタル傘の乾燥を行うことで、湿気によるカビや錆びの発生を防げる。本考案により、利用者が傘を携帯する必要がなく、更に買った傘を長い間放置してしまう心配も無くなる。
【図面の簡単な説明】
【００１２】
【図１】本考案の傘レンタル回収装置の第１の実施形態の一例の構造立体透視図であり、内部に機能が異なる４つの空間があることを示している。
【図２】図１の実施形態のブロック図であり、主要構造の作動連結関係を説明している。
【図３】本考案の傘レンタル回収装置の第２の実施形態の構造イメージ図であり、装置内でのレンタル傘の移動の順序を示す。
【図４】図３に示す実施形態を応用したレンタル回収装置のレンタル回収システムの実施形態のイメージ図であり、サーバーと複数の傘レンタル回収装置信号がデータリンクすることを示す。
【図５】本考案のレンタル回収システムの実施形態のブロック図であり、通信ユニットとサーバー装置およびレンタル／回収ユニットの連結関係を示している。
【図６】本考案の傘レンタル回収装置の第３の実施形態を示し、運搬ユニットを設けず人力で操作を行い、かつ乾燥ユニットは傘レンタル／回収ユニットが所在する本体の外に設置する。
【考案を実施するための形態】
【００１３】
本考案における前述の技術およびその他の技術の内容、特徴、効果について、図面及び明細書で説明する。また、各実施形態の内、同じ部品名や同じ段取りについては同様な表記番号とする。
【００１４】
本考案による単一傘レンタル回収装置の第１の実施形態について、図１、２を参照しながら説明する。図１及び２に示ように、利用者はレンタル傘を借りた場所で返さなければならず、直接支払いをもって標準形態とする。本考案の装置は、電車や地下鉄等の駅に設置することができ、利用者が公共交通機関を利用して駅を降りた際、天候が急に変わって雨が降った場合、利用者は傘レンタル回収装置１のプロセッサ１２２に例えば５００円のデポジットを投入してレンタル傘５を借りることができる。プロセッサ１２２が利用者の入金を確認すると、利用者は本体１０のレンタルエリア１００の中から一本の傘を取り出すことができる。レンタルエリア１００には運搬ユニット１４に属する一つのラック１４０があり、ラック１４０はレンタル／回収ユニット１２の一つの傘出／入ポート１２０に対応している。ラック１４０には多数の孔があり、そこにレンタル傘５を複数本収納できる。それぞれの孔には固定部品１４１があり、レンタル傘５を固定している。利用者がレンタル傘５一本分の費用を支払うと、プロセッサ１２２が固定部品１４１にレンタル傘５一本分の固定を解除する指令を出し、利用者は本体１０上の傘出／入ポート１２０より移動してきたラック１４０上のレンタル傘５を取り出すことができる。
【００１５】
またレンタル／回収ユニット１２には、傘出／入ポート１２０に対応するレンタル傘識別記録装置があり、以下識別記録機器１２１と呼ぶ。レンタル傘５が傘出／入ポート１２０を通りレンタルエリア１００を離れる時、識別記録機器１２１はレンタル傘５に設置された対応識別マーク１５１を読み取る。レンタル傘５にある対応識別マークにはそれぞれ特定の番号が与えられ、識別記録機器１２１で読み取るとそのレンタル傘５の貸出状態を記録し、さらに電気結合するプロセッサ１２２に送られ統合される。本実施形態では、無線周波数技術を応用してレンタル傘５の識別記録を行うので、この識別記録機器１２１は無線周波数識別記録器であり、対応識別マーク１５１は無線周波数ラベルとなる。
【００１６】
利用者が使用した後の濡れた状態のレンタル傘５は、レンタル／回収ユニット１２のもう一つの傘出／入ポート１２０から本体１０内の回収エリア１０１へ返却される。回収エリア１０１内には別の運搬ユニット１４のラック１４０があり、識別記録機器１２１が回収されたレンタル傘５の対応識別マーク１５１を読み取ると、プロセッサ１２２が特定された傘に対し、レンタル記録を更新する。貸出状態から回収済レンタル待機の状態へ変更すると同時に、前述のデポジットを利用者へ返却する。こうして利用者が傘を時間通り返却するように促す。この種のレンタル傘は通常大量に使用される為、実際に運用されると広告宣伝効果があり、業者に十分な広告収入を提供でき、レンタル料金の低下にもつながる。特に広告期間終了後に傘を新調できる為、長期使用後の使用に耐えない傘の大量発生を防ぐことができる。
【００１７】
本体１０の回収エリア１０１の隣には、乾燥エリア１０２が設置されている。乾燥エリア１０２内には、運搬ユニット１４と乾燥ユニット１６が設置されている。本実施形態の乾燥ユニット１６は燃料電池を含み、燃料電池はレンタル／回収ユニット１２と運搬ユニット１４へエネルギーを供給して作動させるとともに、電力消費時の余熱を乾燥ユニット１６での乾燥熱源として利用する。レンタル傘５がいっぱいになると、運搬ユニット１４がラック１４０を操作し、本体１０内に設置されたレール（図未表示）にそって移動させる。まず回収エリア１０１から乾燥エリア１０２へ移動し乾燥作業を実施する。一定時間後乾燥が完了すると、包装エリア１０３へ運ばれ、レンタル傘５をプラスチックカバーで包装する。最後にレンタルエリア１００へ運ばれ利用者にレンタルされるのを待つ。乾燥エリア１０２を特別に隔離するのは、乾燥時間が長すぎることによる傘の劣化つまり寿命低下を防ぐためである。
【００１８】
本考案による傘レンタル回収装置の第２の実施形態は、図３に示すとおり、最初に示した実施形態を簡略化したものである。本体１０’内には、乾燥エリア１０２’とレンタル／回収ユニットのレンタルエリア１００’及び傘出／入ポート１２０’しかない。利用者は５００円のデポジットを支払うと、レンタル傘５がレンタルエリア１００’から傘を提供する傘出／入ポート１２０’へ直接落ちてくる。利用者が使用した後は、直接回収する傘出／入ポート１２０’へ入れる。レンタル傘は直接乾燥エリア１０２’へ落下し、乾燥ユニット１６’の熱エネルギーにより乾燥作業が行なわれる。一定時間後、運搬ユニット１４’により乾燥済のレンタル傘がレンタルエリア１００’へ運ばれ、次の利用者を待つ。
【００１９】
上述の構造により、レンタル傘を置くラックが回収エリアからレンタルエリアに移動してレンタルされる時には、レンタル傘の水分は乾燥されている。雨が止んで空が晴れ、本考案の装置が長時間待機していても、レンタル傘の水分が原因でカビの発生や柄が錆びる心配はない。また、本考案はコイン投入式のレンタル料金先払いなので、利用者がレンタル傘を私物化し返却しない事態を防げる。レンタル傘を購入するに十分な金額をレンタル料に設定し、返却後に余ったおつりを利用者に返還することも可能である。また、広告業者と連携し、レンタル傘に広告を貼りつけることで広告収入が得られ、これをもって主要収入源とし、返却されないリスクを分散できる。さらには利用者が私物化する意欲を減退させ、例え私物化された場合でも街で見かける機会が増えるので、広告効果は逆に増加するのである。
【００２０】
本考案による傘レンタル回収システムの実施形態の一例を、図４及び５を参照しながら説明する。複数の異なる場所に傘レンタル回収装置１’’を設置し、それぞれの傘レンタル回収装置１’’には、通信ユニット１８’’を内設する。通信ユニット１８’’は、外部のサーバー３’’と本体内のレンタル／回収ユニット１２’’を同時に通信でつなぐ。レンタル／回収ユニット１２’’がレンタル傘の識別、レンタル状況の記録をする度に、通信ユニット１８’へ信号が送られ、通信ユニット１８’’を通して当該傘レンタル回収装置１’’のレンタル傘の数量をサーバー３’’へ通信する。それによってサーバー３’’は、異なる場所に設置された傘レンタル回収装置１’’を統計、管理する。
【００２１】
本実施形態のプロセッサ１２２’’は、非接触型ＩＣカードリーダーを用いている。プロセッサ１２２’’と識別記録機器１２１’’が電気結合しているため、レンタル傘の貸出及び回収時にレンタル傘のナンバーとＩＣカードの身分証番号をつなげて記録する。利用者が使用期限を過ぎても未返却の場合、本考案のシステムは特定レンタル傘のレンタル記録を調べ、対応するＩＣカード記録を検索するだけで、利用者の身分を知ることができ、ブラックリストへ登録するか、またはクレジットカードの口座より直接引き落とすことが可能となる。また、本実施形態のレンタル／回収ユニット１２’’のレンタルエリアと回収エリアは同一空間を共有し、さらに同一傘出／入ポート１２０’’も共有し、包装エリアの設置を省く。そのため本体は乾燥エリア１０２’’とレンタル／回収ユニット１２’’のレンタルと回収の共用エリアを収容するのみで、本体の小型化と設置の利便性向上が期待できる。
【００２２】
本実施形態の目的は、借りる場所と返す場所が異なっても良いシステムを提供することである。利用者の利便性を向上し、市場の拡大をすると同時に、群衆行動による需給のアンバランスも解決できる。例えば、退勤時に大雨に遭えば、商業エリアに設置された本傘レンタル回収装置では大量の傘がレンタルされ、当該装置の通信ユニットがサーバーへ最新の在庫数量を通信する。設定された在庫範囲数量を下回ると、すぐに業者の人間が傘を補充し十分な供給数量を確保する。同じように、居住エリアにある傘レンタル回収装置では傘が回収され続けることになり、設定された許容範囲を超えると、業者の人間が過剰分の傘を回収して、傘レンタル回収装置の許容限界を超えないようにする。
【００２３】
本考案の傘レンタル回収装置の第２の実施形態を応用する傘レンタル回収装置を、図６を参照しながら説明する。本実施形態の傘レンタル回収装置１”’では、乾燥ユニット１６”’をレンタル／回収ユニット本体１０”’の外へ設置し、ダクトを通じて熱風をレンタル／回収ユニットの乾燥エリア１０２”’内へ送る。なお、本例の技術は、本体１０”’の実施形態に限定されず、他の実施形態にも応用できる。さらに、本例は運搬ユニットを設置しておらず、乾燥済のレンタル傘は人力および人智選択によりレンタルエリア１００”’へ運ばれ、次のレンタル又は、他の傘レンタル回収装置１”’の不足分を補う為に内部にストックされる。この実施形態を通して、さらに本体１０”’の空間を節約し、同時に異なる場所の傘レンタル回収装置１”’の需要に対して供給できるようになる。
【００２４】
上述した実施形態は、本考案の比較的優れた実施形態を示したに過ぎず、これらを本考案の実施範囲に限定するものではない。すなわち、本考案の実用新案登録請求の範囲及び明細書に記載された内容に従って行う簡単な変更による同等の効果は、本実用新案登録請求の範囲内である。
【符号の説明】
【００２５】
傘レンタル回収装置      １、１’’、１”’
本体                    １０、１０’、１０”’
レンタルエリア          １００、１００’、１００’”
回収エリア              １０１
乾燥エリア              １０２、１０２’、１０２’’、１０２’’’
包装エリア              １０３
レンタル／回収ユニット  １２、１２’’
傘出／入ポート          １２０、１２０’、１２０’’
識別記録機器            １２１、１２１’’
プロセッサ              １２２、１２２’’
運搬ユニット            １４、１４’
ラック                  １４０
固定部品                １４１
乾燥ユニット            １６、１６’、１６’”
通信ユニット            １８’’
サーバー                ３’’
レンタル傘              ５
対応識別マーク          １５１
【図１】
0003205247.tif 000003
【図２】
0003205247.tif 000004
【図３】
0003205247.tif 000005
【図４】
0003205247.tif 000006
【図５】
0003205247.tif 000007
【図６】
0003205247.tif 000008